【手続補正書】
【提出日】平成27年2月12日(2015.2.12)
【手続補正１】
【補正対象書類名】明細書
【補正対象項目名】０００６
【補正方法】変更
【補正の内容】
【０００６】  本発明は、座〔１〕と上部板〔２〕の寸法を縦、横各３００ｍｍとし突起〔３〕の高さを５ｍｍとし１ｍｍのクッションを付けて４ｍｍの間隙とし、この状態から車が発進して、左右へのカーブや車線変更の際、車体の傾きから体重の移動が起こり、上部板〔２〕が突起〔３〕を支点として左右交互の上下動を起こし、その動きは上部板〔２〕の両端で８ｍｍの動きを生じます、本発明は、上記の如く上部板〔２〕の両端で８ｍｍの上下動から揺すりを起こす、座席表面の動く運動器具です、８ｍｍの上下動からの揺すりの一回の足腰に及ぼす影響は小さいものですが、運転時間中の繰り返しの作用は、足腰のみならず全身の刺激と成って、体の底から力の湧く爽快感と言うか、晴れ晴れとした、気分を体感し、従来の固定式の座席では考えられなかった、運動効果を生じ〔発明が解決しようとする課題〕の問題点を一氣に解決するに到りました、座席表面の動く運動器具のテスト使用を始める前は、少し長い距離を走ると、足腰の疲れを感じ、運転を終えて下車すると足腰に違和感を覚えて足腰が重く、友達の様に免許の返納も近いと感じる状態でした、本年７月２３日、本発明の座席表面の動く運動器具のテスト使用を開始して約一ヶ月〔その間の走行距離約９００ｋｍ〕ふと氣付くと足腰の疲労感が消え下車の際の違和感も無くなり、心身共に若返った様で、足腰も軽くなり運動器具使用前の疲れが、信じ難い状態に成りました、そして両足の親指の爪が生え変りだして、これ又驚いた所です、本発明は、高齢者の方々の運動不足の解消と安全運転の継続に役立てばと考えて参りましたが、老体に鞭打つに留まらず、タクシーの運転に従事される方々を始め、一般の運転者の方々にも広く開放する事で、長寿社会の充実は元より、車社会全般にも役立つ物と思うに到りました。
しかし、本発明は、車の運転席で使用の際、次の点に注意を願います、Ａ、車のスピードは法定速度を守り、進路変更の際には前後の安全確認を願います、Ｂ、左折、右折等の際は、スピードを落とし、腰への遠心力に注意して下さい、
本発明は、車の運転席のみならず、家庭の椅子やオフィス、コンピュタールームの椅子等でも使用可能です、少し体を動かすだけで、座席は左右に揺れますから、無意識の内に運動している事と成り、従来の椅子とは大きな違いの有る事に氣付かれると思います、座席表面の動く運動器具は、家庭で、オフイスでも大きな効果を発揮する物と思います、昨年、数名のモニターの方にテストを依頼し、その結果、良い効果が有りと喜んで頂いております、
本発明は、上部板〔２〕の材料にベニヤ板厚さ９ｍｍを使用して居ますが、硬質プラスチック等に変更の際は、遠心力に対する対策と、座席の感触も検討したいと考えております、
【手続補正２】
【補正対象書類名】明細書
【補正対象項目名】０００８
【補正方法】変更
【補正の内容】
【０００８】  本発明は、座〔１〕と上部板〔２〕との間の中央に突起〔３〕と受け皿用ガイド〔４〕を設ける、以上の構成より成る、座席表面の動く運動器具です、これを運転席の中央に設置する、
本発明を実施する各部の寸法と作動の状態、座〔１〕と上部板〔２〕の寸法は縦横共に３００ｍｍ、両板の間の中央に突起〔３〕の高さを５ｍｍとし１ｍｍのクッションをつけて両端の間隙を４ｍｍとする、及び受け皿用ガイド〔４〕を設ける、これを図〔１〕のように組み立てると、座〔１〕と上部板〔２〕の両端での間隙は４ｍｍとなる、この状態から車が発進して、左右へのカーブ、車線変更等で車体の傾きから体重の移動が生ずると、上部板〔２〕が突起〔３〕を支点として、左右交互の上下動の揺すりを起こし、その動きは上部板〔２〕両端では８ｍｍの動きを生じる事と成ります、８ｍｍの上下動によって生じる、一回の揺すりの足腰に及ぼす影響は、小さいものですが、走る距離からの時間中に繰り返す作用は、足腰のみならず、体全身への刺激と成って、血流の改善を促し、従来の固定式座席では考えられなかった運動効果を発揮し〔発明が、解決しようとする課題〕〔０００４〕のみならず多くの問題点を一氣に解決するに到りました、
私は極最近まで、年齢と共に車で走ると足腰の疲労を強く感じ、回復にも時間を要して居りましたが、座席表面の動く運動器具のテスト使用から、次第に足腰が軽くなり、最近では疲れを忘れています、補助席の妻も器具のテスト使用から、下車の際に感じていた、腰の圧迫感が消えたと言っています、
従来の固定式座席での運転では、折角長時間、長距離を走りながら運動にはならず、運転後は、疲れと運動不足感覚が強く残り、何か良い方法は無いものかと考えて時が流れて、現在８０歳、友に足腰が悪くて免許返納者、杖を突いても運転する友、又車が無いと困ると頑張る友も有りこれから高齢者の仲間に加わる方々が、車も運転即運動不足解消と健康増進に役立ち、喜んで頂く為に生れたのが、座席表面の動く運動器具です、
座席表面の動く運動器具をテスト使用して４０日、長時間運転でも疲れを感じ無くなり、又下車の際の違和感も無く、ドライブを楽しんで、一年が過ぎて、現在８１歳に成りました、
本発明は、車の運転席のみならず、補助席、後部座席、又家庭の椅子や、オフイスの椅子等にも使用可能です、この運動器具の効果を世界の皆様に体感して頂きたく願っております。
尚、下記の事項に付いて、研究を予定致して居ります、
イ、上部板〔２〕の両端での上下動２０ｍｍに対する良否の確認、（車の運転席は１０      ｍｍ以下とする、走行中のカーブでの腰に加わる遠心力対策として、）
ロ、座〔１〕上部板〔２〕寸法に付いて、男子用、女子用、及び各椅子への検討、（縦      横各３００ｍｍは、椅子の大きさにより、又上下動の巾も、車、オフイス用で変る      予定）
ハ、座〔１〕上部板〔２〕の材料に付いて、硬質プラスチック、アルミニュウム、炭素      繊維素材、等軽くて薄く、強靭な素材の使用の検討、
ニ、上部板〔２〕の両端に上下動２０ｍｍのクッション用スプリングの取り付け、
ホ、将来の新車への採用に対する取り付け方法の研究、
ヘ、座〔１〕の両端に、衝撃の回避用ゴム板の取り付け、
ト、座〔１〕と上部板〔２〕の両面に座席用クッションの取り付け、
チ、走行中のカーブでの腰に加わる遠心力に対する対策、座席の両サイドにサイドバッ      クの取り付け
【手続補正３】
【補正対象書類名】明細書
【補正対象項目名】０００９
【補正方法】変更
【補正の内容】
【０００９】１    座
２    上部板
３    突起
４    受け皿用ガイド
５    １ｍｍクッション
【手続補正４】
【補正対象書類名】特許請求の範囲
【補正対象項目名】全文
【補正方法】変更
【補正の内容】
【特許請求の範囲】
【請求項１】
座〔１〕と上部板〔２〕の間の中央に突起〔３〕と受け皿用ガイド〔４〕を取つけ、組み立てたものである、本発明は、以上の構成よりなる、突起〔３〕を設けたことを特徴とする、座席表面の動く運動器具である、
【請求項２】
天秤（テコの原理）により、突起〔３〕を基点として両端の上下動から左右の揺すりを起こす、座席表面の動く運動器具
【手続補正５】
【補正対象書類名】図面
【補正対象項目名】図１
【補正方法】変更
【補正の内容】
【図１】
2015066415.tif 000001
【手続補正６】
【補正対象書類名】図面
【補正対象項目名】図２
【補正方法】変更
【補正の内容】
【図２】
2015066415.tif 000002
【手続補正７】
【補正対象書類名】図面
【補正対象項目名】図３
【補正方法】変更
【補正の内容】
【図３】
2015066415.tif 000003